(57)【特許請求の範囲】
【請求項１】
赤色光を放射する第１発光素子と、
緑色光を放射する第２発光素子と、
青色光を放射する第３発光素子と、
前記第１発光素子から放射される赤色光、前記第２発光素子から放射される緑色光及び前記第３発光素子から放射される青色光を個別に調節可能であり、前記第１発光素子から放射される赤色光、前記第２発光素子から放射される緑色光及び前記第３発光素子から放射される青色光の少なくとも何れか一つの光を変化させることにより、特定の情報を送信する第１制御手段と、
白色光を放射する第４発光素子と、
前記第１制御手段とは別に設けられ、前記第４発光素子から放射される白色光を調節する第２制御手段と、
を備えた照明装置。
【請求項２】
特定の領域に向けて赤色光を放射する第１発光素子と、
前記領域に向けて緑色光を放射する第２発光素子と、
前記領域に向けて青色光を放射する第３発光素子と、
前記第１発光素子から放射される赤色光、前記第２発光素子から放射される緑色光及び前記第３発光素子から放射される青色光を個別に調節可能であり、前記第１発光素子から放射される赤色光、前記第２発光素子から放射される緑色光及び前記第３発光素子から放射される青色光の少なくとも何れか一つの光を変化させることにより、特定の情報を送信する第１制御手段と、
前記領域に向けて白色光を放射する第４発光素子と、
前記第１制御手段とは別に設けられ、前記第４発光素子から放射される白色光を調節する第２制御手段と、
を備えた照明装置。
【請求項３】
前記第１発光素子、前記第２発光素子、前記第３発光素子及び前記第４発光素子が設けられた基板を更に備えた請求項１又は請求項２に記載の照明装置。
【請求項４】
前記第１発光素子、前記第２発光素子、前記第３発光素子及び前記第４発光素子の周囲を囲むケースを更に備えた請求項１又は請求項２に記載の照明装置。
【請求項５】
前記第１発光素子から放射される赤色光、前記第２発光素子から放射される緑色光、前記第３発光素子から放射される青色光及び前記第４発光素子から放射される白色光が透過するカバーを更に備えた請求項１又は請求項２に記載の照明装置。
【請求項６】
前記第１発光素子から放射される赤色光、前記第２発光素子から放射される緑色光、前記第３発光素子から放射される青色光及び前記第４発光素子から放射される白色光を反射させる反射部材と、
前記反射部材で反射した前記第１発光素子からの赤色光、前記反射部材で反射した前記第２発光素子からの緑色光、前記反射部材で反射した前記第３発光素子からの青色光及び前記反射部材で反射した前記第４発光素子からの白色光が透過するカバーと、
を更に備えた請求項１又は請求項２に記載の照明装置。
【請求項７】
複数の前記第４発光素子が備えられ、
前記第１発光素子、前記第２発光素子、前記第３発光素子及び前記第４発光素子のうち前記第４発光素子が最も外側に配置された
請求項１から請求項６の何れか一項に記載の照明装置。
【請求項８】
複数の前記第４発光素子が備えられ、
前記第１発光素子、前記第２発光素子、前記第３発光素子及び前記第４発光素子は一列に配置され、
前記第１発光素子、前記第２発光素子、前記第３発光素子及び前記第４発光素子のうち前記第４発光素子が両端に配置された
請求項１から請求項６の何れか一項に記載の照明装置。
【請求項９】
赤色光を放射する第１発光素子と、
緑色光を放射する第２発光素子と、
青色光を放射する第３発光素子と、
前記第１発光素子から放射される赤色光、前記第２発光素子から放射される緑色光及び前記第３発光素子から放射される青色光の少なくとも何れか一つの光を変化させることにより、特定の情報を送信する第１制御手段と、
白色光を放射する第４発光素子と、
前記第４発光素子から放射される白色光を調節する第２制御手段と、
を備え、
複数の前記第４発光素子が備えられ、
前記第１発光素子、前記第２発光素子及び前記第３発光素子は、前記第４発光素子からの光の一部を遮るように配置された照明装置。
【請求項１０】
赤色光を放射する第１発光素子と、
緑色光を放射する第２発光素子と、
青色光を放射する第３発光素子と、
前記第１発光素子から放射される赤色光、前記第２発光素子から放射される緑色光及び前記第３発光素子から放射される青色光の少なくとも何れか一つの光を変化させることにより、特定の情報を送信する第１制御手段と、
白色光を放射する第４発光素子と、
前記第４発光素子から放射される白色光を調節する第２制御手段と、
前記第４発光素子を支持する第１ケースと、
前記第１発光素子、前記第２発光素子及び前記第３発光素子を支持する第２ケースと、
を備え、
前記第２ケースは、前記第１ケースに設けられた照明装置。
【請求項１１】
前記第１発光素子は、特定の領域に向けて前記赤色光を放射し、
前記第２発光素子は、前記領域に向けて前記緑色光を放射し、
前記第３発光素子は、前記領域に向けて前記青色光を放射し、
前記第４発光素子は、前記領域に向けて前記白色光を放射する
請求項９又は請求項１０に記載の照明装置。
【請求項１２】
前記第１発光素子から放射される赤色光と前記第２発光素子から放射される緑色光と前記第３発光素子から放射される青色光との放射束は、前記第１発光素子から放射される赤色光と前記第２発光素子から放射される緑色光と前記第３発光素子から放射される青色光と前記第４発光素子から放射される白色光との放射束の５％〜１０％である請求項１から請求項１１の何れか一項に記載の照明装置。
【発明の詳細な説明】
【技術分野】
【０００１】
この発明は、照明装置に関する。
【背景技術】
【０００２】
特許文献１に、光を利用して通信を行うシステムが記載されている。特許文献１に記載されたシステムは、光源としてＬＥＤを備える。例えば、上記システムは赤色ＬＥＤ、緑色ＬＥＤ又は青色ＬＥＤの少なくとも２つのＬＥＤを備え、光の色を変化させることによって通信を行う。
【先行技術文献】
【特許文献】
【０００３】
【特許文献１】国際公開第２０１６／００１９７２号
【発明の概要】
【発明が解決しようとする課題】
【０００４】
３色（ＲＧＢ）のＬＥＤ、即ち赤色ＬＥＤ、緑色ＬＥＤ及び青色ＬＥＤを使用すると、白色光を得ることができる。しかし、赤色ＬＥＤ、緑色ＬＥＤ及び青色ＬＥＤを使用して得られた白色光は、演色性が低い。このため、特許文献１に記載されたシステムでは、例えば光源として３色のＬＥＤを備えていても、十分な演色性を得ることができなかった。特許文献１に記載されたシステムを照明用として利用すると、被照射物の色を精度良く再現することができなかった。
【０００５】
この発明は、上述のような課題を解決するためになされた。この発明の目的は、光を利用した通信を実現できるとともに、高い演色性を得ることができる照明装置を提供することである。
【課題を解決するための手段】
【０００６】
この発明に係る照明装置は、赤色光を放射する第１発光素子と、緑色光を放射する第２発光素子と、青色光を放射する第３発光素子と、第１発光素子から放射される赤色光、第２発光素子から放射される緑色光及び第３発光素子から放射される青色光を個別に調節可能であり、第１発光素子から放射される赤色光、第２発光素子から放射される緑色光及び第３発光素子から放射される青色光の少なくとも何れか一つの光を変化させることにより、特定の情報を送信する第１制御手段と、白色光を放射する第４発光素子と、第１制御手段とは別に設けられ、第４発光素子から放射される白色光を調節する第２制御手段と、を備える。
【０００７】
この発明に係る照明装置は、特定の領域に向けて赤色光を放射する第１発光素子と、領域に向けて緑色光を放射する第２発光素子と、領域に向けて青色光を放射する第３発光素子と、第１発光素子から放射される赤色光、第２発光素子から放射される緑色光及び第３発光素子から放射される青色光を個別に調節可能であり、第１発光素子から放射される赤色光、第２発光素子から放射される緑色光及び第３発光素子から放射される青色光の少なくとも何れか一つの光を変化させることにより、特定の情報を送信する第１制御手段と、領域に向けて白色光を放射する第４発光素子と、第１制御手段とは別に設けられ、第４発光素子から放射される白色光を調節する第２制御手段と、を備える。
【発明の効果】
【０００８】
この発明に係る照明装置は、例えば第１発光素子、第２発光素子、第３発光素子及び第４発光素子を備える。第４発光素子は、白色光を放射する。また、第１発光素子から放射される赤色光、第２発光素子から放射される緑色光及び第３発光素子から放射される青色光の少なくとも何れか一つの光を変化させることにより、特定の情報が送信される。この発明に係る照明装置であれば、光を利用した通信を実現できるとともに、高い演色性を得ることができる。
【図面の簡単な説明】
【０００９】
【図１】この発明の実施の形態１における照明装置の例を示す図である。
【図２】照明器具及び制御ユニットの例を示す図である。
【図３】照明器具から放射される３色（ＲＧＢ）の光の例を示す図である。
【図４】照明器具から放射される白色光の例を示す図である。
【図５】照明器具から放射される全体の光の例を示す図である。
【図６】図１に示すＢ方向から照明器具を見た図である。
【図７】図６のＣ−Ｃ断面を示す図である。
【図８】照明器具の他の例を示す図である。
【図９】ＬＥＤの接続例を示す図である。
【図１０】照明器具の他の例を示す図である。
【図１１】図１０のＤ−Ｄ断面を示す図である。
【図１２】照明器具の他の例を示す図である。
【図１３】この発明の実施の形態１における照明装置の他の例を示す図である。
【図１４】図１３に示すＥ方向から照明器具を見た図である。
【図１５】この発明の実施の形態２における照明装置の例を示す図である。
【図１６】図１５のＦ−Ｆ断面を示す図である。
【図１７】この発明の実施の形態２における照明装置の他の例を示す図である。
【図１８】この発明の実施の形態２における照明装置の他の例を示す図である。
【図１９】この発明の実施の形態２における照明装置の他の例を示す図である。
【図２０】照明装置の断面を示す図である。
【発明を実施するための形態】
【００１０】
添付の図面を参照し、本発明を説明する。重複する説明は、適宜簡略化或いは省略する。各図において、同一の符号は同一の部分又は相当する部分を示す。
【００１１】
実施の形態１．
図１は、この発明の実施の形態１における照明装置の例を示す図である。照明装置は、例えば照明器具１及び制御ユニット２を備える。制御ユニット２は、第１制御部２ａ及び第２制御部２ｂを備える。
【００１２】
照明器具１は、光を放射する。照明器具１は、例えば、特定の被照射物を照らすために光を放射する。照明器具１は、特定の空間に向けて光を放射しても良い。図１は、鞄３を照らすために照明器具１が用いられる例を示す。照明器具１から放射された光は鞄３に当たる。鞄３に当たった光の一部は鞄３で反射する。図１では、鞄３で反射した照明器具１からの光のうち携帯端末４に向かう光を矢印Ａで示している。
【００１３】
図２は、照明器具１及び制御ユニット２の例を示す図である。照明器具１は、例えば複数のＬＥＤ（Ｌｉｇｈｔ  Ｅｍｉｔｔｉｎｇ  Ｄｉｏｄｅ）を備える。図２に示す例では、照明器具１は、複数の赤色ＬＥＤ５、複数の緑色ＬＥＤ６及び複数の青色ＬＥＤ７を備える。赤色ＬＥＤ５は、特定の領域に向けて赤色光を放射する。緑色ＬＥＤ６は、上記特定の領域に向けて緑色光を放射する。青色ＬＥＤ７は、上記特定の領域に向けて青色光を放射する。図１に示す例では、上記特定の領域に鞄３が置かれている。
【００１４】
図２は、複数の赤色ＬＥＤ５が直列で接続される例を示す。赤色ＬＥＤ５は並列で接続されても良い。照明器具１は赤色ＬＥＤ５を１つしか備えていなくても良い。図２は、複数の緑色ＬＥＤ６が直列で接続される例を示す。緑色ＬＥＤ６は並列で接続されても良い。照明器具１は緑色ＬＥＤ６を１つしか備えていなくても良い。図２は、複数の青色ＬＥＤ７が直列で接続される例を示す。青色ＬＥＤ７は並列で接続されても良い。照明器具１は青色ＬＥＤ７を１つしか備えていなくても良い。
【００１５】
図３は、照明器具１から放射される３色（ＲＧＢ）の光の例を示す図である。即ち、図３は、赤色ＬＥＤ５から放射される赤色光、緑色ＬＥＤ６から放射される緑色光及び青色ＬＥＤ７から放射される青色光の例を示す。図３は、色温度が５０００Ｋ程度のＲＧＢ光のスペクトルを示す。図３に示すスペクトルの指数Ｒａは１８である。Ｒａは、色再現性を示す演色性の指数（平均演色評価数）である。図３は、照明器具１からのＲＧＢ光だけでは照明用として適していないことを示す。
【００１６】
第１制御部２ａは、赤色ＬＥＤ５、緑色ＬＥＤ６及び青色ＬＥＤ７を制御する。例えば、第１制御部２ａは、照明器具１からＲＧＢ光を放射させる。第１制御部２ａは、例えば赤色ＬＥＤ５から赤色光を放射させる。第１制御部２ａは、緑色ＬＥＤ６から緑色光を放射させる。第１制御部２ａは、青色ＬＥＤ７から青色光を放射させる。第１制御部２ａは、赤色ＬＥＤ５、緑色ＬＥＤ６及び青色ＬＥＤ７を個別に制御できる。
【００１７】
第１制御部２ａは、照明器具１から放射されるＲＧＢ光を調節する。「光を調節する」ことには、例えば光の強弱を変化させることが含まれる。「光を調節する」ことには、例えば光の色を変化させることが含まれる。光を調節する方法は、どのような方法を採用しても良い。例えば、振幅制御を採用し、照明器具１から放射されるＲＧＢ光を調節しても良い。振幅制御では、ＬＥＤの直流電流を制御することによって明るさを調節する。また、ＰＷＭ（Ｐｕｌｓｅ  Ｗｉｄｔｈ  Ｍｏｄｕｌａｔｉｏｎ）制御を採用し、照明器具１から放射されるＲＧＢ光を調節しても良い。ＰＷＭ制御では、一定の周波数でＬＥＤをオン及びオフし、このオン時間の比率を制御することによって明るさを調節する。第１制御部２ａは、例えば、赤色ＬＥＤ５から放射される赤色光を調節する。第１制御部２ａは、緑色ＬＥＤ６から放射される緑色光を調節する。第１制御部２ａは、青色ＬＥＤ７から放射される青色光を調節する。第１制御部２ａは、赤色ＬＥＤ５から放射される赤色光、緑色ＬＥＤ６から放射される緑色光及び青色ＬＥＤ７から放射される青色光を個別に調節できる。
【００１８】
第１制御部２ａは、照明器具１から特定の情報を送信させる。第１制御部２ａは、例えば、照明器具１から識別情報を送信させる。識別情報は、照明器具１を特定するための情報である。照明器具１には固有の識別情報が予め割り当てられる。第１制御部２ａは、例えば、赤色ＬＥＤ５から放射される赤色光、緑色ＬＥＤ６から放射される緑色光及び青色ＬＥＤ７から放射される青色光の強弱を変化させることにより、照明器具１から識別情報を送信させる。
【００１９】
照明器具１から識別情報を送信させるために光を変化させる方法は、どのような方法でも良い。例えば、第１制御部２ａは、赤色ＬＥＤ５から放射される赤色光、緑色ＬＥＤ６から放射される緑色光及び青色ＬＥＤ７から放射される青色光のうちの一色の光或いは二色の光を変化させることにより、照明器具１から識別情報を送信させても良い。第１制御部２ａは、照明器具１から放射される光の照明としての制御条件を維持しながらＲＧＢ光の強弱を変化させることにより、照明器具１から識別情報を送信させても良い。「照明としての制御条件」は、例えば調光度、光色又は色温度の少なくとも何れか一つである。例えば、第１制御部２ａは、照明器具１から放射される光の色温度をある基準値（又は、基準範囲）に保ったままＲＧＢ光の明るさを微小変動させることにより、照明器具１から識別情報を送信させる。なお、「照明としての制御条件」は、光束であっても良い。例えば、第１制御部２ａは、照明器具１から放射される光の光束をある基準値（又は、基準範囲）に保ったままＲＧＢ光の明るさを微小変動させることにより、照明器具１から識別情報を送信させても良い。識別情報の送信には、種々の可視光通信技術が適用できる。
【００２０】
また、図２に示す例では、照明器具１は、赤色ＬＥＤ５、緑色ＬＥＤ６及び青色ＬＥＤ７に加え、複数の白色ＬＥＤ８を備える。白色ＬＥＤ８は、赤色ＬＥＤ５、緑色ＬＥＤ６及び青色ＬＥＤ７だけでは照明用として十分な演色性を得ることができないために備えられる。白色ＬＥＤ８は、上記特定の領域に向けて白色光を放射する。図１に示す例では、白色ＬＥＤ８からの白色光が放射される領域に向けて、赤色ＬＥＤ５からの赤色光、緑色ＬＥＤ６からの緑色光及び青色ＬＥＤ７からの青色光が放射される。即ち、図１に示す例では、白色ＬＥＤ８から放射された白色光は鞄３に当たる。図２は、複数の白色ＬＥＤ８が直列で接続される例を示す。白色ＬＥＤ８は並列で接続されても良い。照明器具１は白色ＬＥＤ８を１つしか備えていなくても良い。
【００２１】
図４は、照明器具１から放射される白色光の例を示す図である。即ち、図４は、白色ＬＥＤ８から放射される白色光の例を示す。図４は、色温度が４０００Ｋ程度の白色光のスペクトルを示す。図４に示すスペクトルの指数Ｒａは８３である。図４は、白色ＬＥＤ８だけで照明用として十分な演色性を備えることを示す。
【００２２】
第２制御部２ｂは、白色ＬＥＤ８を制御する。第２制御部２ｂは、例えば白色ＬＥＤ８から白色光を放射させる。また、第２制御部２ｂは、白色ＬＥＤ８から放射される白色光を調節する。白色ＬＥＤ８は照明用であり、可視光通信用としては用いられない。即ち、白色ＬＥＤ８を利用して識別情報等の情報は送信されない。
【００２３】
制御ユニット２は、例えば制御器及び電源装置（共に図示せず）を備えても良い。制御器は、電源装置を制御する。照明器具１の制御は、制御器が電源装置を制御することによって行われる。制御器と電源装置とを独立の装置として存在させ、信号線で接続しても良い。制御器と電源装置とは一体の装置であっても良い。
【００２４】
図５は、照明器具１から放射される全体の光の例を示す図である。即ち、図５は、図３に示すスペクトルと図４に示すスペクトルとを混合させたスペクトルを示す。図５は、照明器具１から放射されるＲＧＢ光の放射束が全体の光の放射束の５％程度である例を示す。なお、上記ＲＧＢ光の放射束は、赤色ＬＥＤ５から放射される赤色光、緑色ＬＥＤ６から放射される緑色光及び青色ＬＥＤ７から放射される青色光の放射束である。また、上記全体の光の放射束は、赤色ＬＥＤ５から放射される赤色光、緑色ＬＥＤ６から放射される緑色光、青色ＬＥＤ７から放射される青色光及び白色ＬＥＤ８から放射される白色光の放射束である。図５に示すスペクトルの色温度は、図４に示すスペクトルの色温度から＋４０Ｋ程度しかシフトしない。図５に示すスペクトルの指数Ｒａは８６である。即ち、図５に示すスペクトルの指数Ｒａは、図４に示すスペクトルの指数Ｒａより増加している。図５は、照明器具１を使用することが照明用として適していることを示す。
【００２５】
本照明装置であれば、光を利用した通信を実現できるとともに、高い演色性を得ることができる。なお、通信用の光の放射束は、全体の光の放射束の１０％程度までであることが望ましい。照明器具１から放射されるＲＧＢ光の放射束が全体の光の放射束の５％〜１０％であれば、光を利用した通信を実現でき、且つ高い演色性を確実に得ることができる。また、色温度のシフト量も実用に問題がないレベルに留めることができる。具体的な計算結果を下記表１に示す。また、表１の結果を得るために必要な詳細データを下記表２に示す。
【００２６】
【表１】
0006696227.tif 000002
【００２７】
【表２】
0006696227.tif 000003
【００２８】
照明器具１から送信された情報は、例えば携帯端末４によって受信される。携帯端末４は、例えば受信した識別情報を解析することにより、識別情報を送信してきた照明器具１を特定できる。携帯端末４は、識別情報を送信してきた照明器具１を制御する制御ユニット２に対し、制御情報を送信しても良い。例えば、制御ユニット２は、携帯端末４から受信した制御情報に基づいて照明器具１を制御する。制御ユニット２は、携帯端末４から受信した識別情報に基づいて白色ＬＥＤ８のみを制御しても良い。
【００２９】
次に、照明器具１の具体例について説明する。図６は、図１に示すＢ方向から照明器具１を見た図である。図７は、図６のＣ−Ｃ断面を示す図である。照明器具１は、赤色ＬＥＤ５、緑色ＬＥＤ６、青色ＬＥＤ７及び白色ＬＥＤ８に加え、基板９、ケース１０、レンズ２１及びカバー１１を備える。
【００３０】
照明器具１は、赤色ＬＥＤ５、緑色ＬＥＤ６、青色ＬＥＤ７及び白色ＬＥＤ８を備える１つの装置である。赤色ＬＥＤ５、緑色ＬＥＤ６、青色ＬＥＤ７及び白色ＬＥＤ８は、例えば１つの基板９に設けられる。また、赤色ＬＥＤ５、緑色ＬＥＤ６、青色ＬＥＤ７、白色ＬＥＤ８、レンズ２１及び基板９は、ケース１０に支持される。図６及び図７は、ケース１０が円筒形状である例を示す。ケース１０は、赤色ＬＥＤ５、緑色ＬＥＤ６、青色ＬＥＤ７、白色ＬＥＤ８、レンズ２１及び基板９の周囲を囲むように配置される。
【００３１】
カバー１１は、例えばケース１０に設けられる。カバー１１は、ケース１０の開口を塞ぐように配置される。また、カバー１１は、赤色ＬＥＤ５、緑色ＬＥＤ６、青色ＬＥＤ７及び白色ＬＥＤ８に対向するように配置される。赤色ＬＥＤ５から放射された赤色光は、カバー１１を透過し、鞄３に当たる。同様に、緑色ＬＥＤ６から放射された緑色光は、カバー１１を透過し、鞄３に当たる。青色ＬＥＤ７から放射された青色光は、カバー１１を透過し、鞄３に当たる。白色ＬＥＤ８から放射された白色光は、カバー１１を透過し、鞄３に当たる。図６及び図７に示す例では、照明器具１に備えられた各ＬＥＤからの光が１つのカバー１１を透過する。
【００３２】
照明器具１に備えられるＬＥＤは、規則正しく配置されることが望ましい。図６は、１個の赤色ＬＥＤ５、１個の緑色ＬＥＤ６、１個の青色ＬＥＤ７及び１８個の白色ＬＥＤ８が規則正しく配置された例を示す。図６に示す例では、１つの白色ＬＥＤ８が中央に配置される。中央の白色ＬＥＤ８の周りに、６個のＬＥＤ、即ち赤色ＬＥＤ５、緑色ＬＥＤ６、青色ＬＥＤ７及び３個の白色ＬＥＤ８が円形に配置される。更にその外側に１４個の白色ＬＥＤ８が円形に配置される。図６に示す例では、赤色ＬＥＤ５に隣接するＬＥＤは全て白色ＬＥＤ８である。緑色ＬＥＤ６に隣接するＬＥＤは全て白色ＬＥＤ８である。青色ＬＥＤ７に隣接するＬＥＤは全て白色ＬＥＤ８である。
【００３３】
図６に示す例のように、赤色ＬＥＤ５、緑色ＬＥＤ６及び青色ＬＥＤ７は、最も外側に配置されないことが望ましい。図６に示す例では、白色ＬＥＤ８が最も外側に配置される。白色ＬＥＤ８を最も外側に配置することにより、赤色ＬＥＤ５からの赤色光、緑色ＬＥＤ６からの緑色光及び青色ＬＥＤ７からの青色光を白色ＬＥＤ８からの白色光に埋もれさせ、目立たなくさせることができる。
【００３４】
図８は、照明器具１の他の例を示す図である。図８は、図１に示すＢ方向から照明器具１を見た図である。図９は、ＬＥＤの接続例を示す図である。図８は、図６と同様に、１個の赤色ＬＥＤ５、１個の緑色ＬＥＤ６、１個の青色ＬＥＤ７及び１８個の白色ＬＥＤ８が配置された例を示す。図８に示す例では、１つの白色ＬＥＤ８が中央に配置される。その中央の白色ＬＥＤ８の周りに、６個の白色ＬＥＤ８が円形に配置される。更にその外側に赤色ＬＥＤ５、緑色ＬＥＤ６、青色ＬＥＤ７及び１１個の白色ＬＥＤ８が円形に配置される。
【００３５】
例えば、２１個の白色ＬＥＤが直列に接続された既設の照明器具を、上記構成の照明器具１に変更する場合を考える。図９に示すように、直列に接続された２１個の白色ＬＥＤのうち、端に接続された３個の白色ＬＥＤを赤色ＬＥＤ５、緑色ＬＥＤ６及び青色ＬＥＤ７に変える。また、図９に示すように基板のパターンをカットし、リード線を引き出す。このような簡単な手順により、既設の照明器具を上記構成の照明器具１に変更することができる。また、図９に示すような基板のパターンを予め構築し、赤色ＬＥＤ５、緑色ＬＥＤ６、青色ＬＥＤ７及び白色ＬＥＤ８を図８に示すように配置しても良い。
【００３６】
図１０は、照明器具１の他の例を示す図である。図１０は、図１に示すＢ方向から照明器具１を見た図である。図１１は、図１０のＤ−Ｄ断面を示す図である。照明器具１は、赤色ＬＥＤ５、緑色ＬＥＤ６、青色ＬＥＤ７、白色ＬＥＤ８及びレンズ２１に加え、第１基板１２、第２基板１３、第１ケース１４、第２ケース１５及びカバー１６を備える。
【００３７】
白色ＬＥＤ８は、第１基板１２に設けられる。図１０及び図１１に示す例では、第１基板１２に２１個の白色ＬＥＤ８が設けられる。赤色ＬＥＤ５、緑色ＬＥＤ６及び青色ＬＥＤ７は、第２基板１３に設けられる。白色ＬＥＤ８及び第１基板１２は、第１ケース１４に支持される。図１０及び図１１は、第１ケース１４が円筒形状である例を示す。第１ケース１４は、白色ＬＥＤ８及び第１基板１２の周囲を囲むように配置される。カバー１６は、例えば第１ケース１４に設けられる。カバー１６は、第１ケース１４の開口を塞ぐように配置される。
【００３８】
赤色ＬＥＤ５、緑色ＬＥＤ６、青色ＬＥＤ７及び第２基板１３は、第２ケース１５に支持される。第２ケース１５は、赤色ＬＥＤ５、緑色ＬＥＤ６、青色ＬＥＤ７及び第２基板１３の周囲を囲むように配置される。第２ケース１５は、第１ケース１４に設けられる。図１１は、第２ケース１５が第１ケース１４の内側に配置される例を示す。第２ケース１５は、第１ケース１４とカバー１６とによって区画された空間に配置される。
【００３９】
また、図１１に示す例では、第２ケース１５が第１基板１２とカバー１６との間に配置される。このため、白色ＬＥＤ８からの光の一部は、第２ケース１５によって遮られる。赤色ＬＥＤ５、緑色ＬＥＤ６及び青色ＬＥＤ７は、白色ＬＥＤ８からの光の一部を遮るように配置される。
【００４０】
カバー１６は、赤色ＬＥＤ５、緑色ＬＥＤ６、青色ＬＥＤ７及び一部の白色ＬＥＤ８に対向するように配置される。赤色ＬＥＤ５から放射された赤色光は、カバー１６を透過し、鞄３に当たる。同様に、緑色ＬＥＤ６から放射された緑色光は、カバー１６を透過し、鞄３に当たる。青色ＬＥＤ７から放射された青色光は、カバー１６を透過し、鞄３に当たる。一部の白色ＬＥＤ８から放射された白色光は、カバー１６を透過し、鞄３に当たる。図１０及び図１１は、赤色ＬＥＤ５、緑色ＬＥＤ６、青色ＬＥＤ７、第２基板１３及び第２ケース１５を既設の照明器具に追加して、上記構成の照明器具１を得る例を示す。
【００４１】
図１２は、照明器具１の他の例を示す図である。図１２は、図１０のＤ−Ｄ断面に相当する図である。図１２に示す例は、第２ケース１５がカバー１６より外側に配置される点で、図１１に示す照明器具１と相違する。図１２に示す例でも、第２ケース１５は第１ケース１４に設けられる。また、白色ＬＥＤ８からの光の一部は、第２ケース１５によって遮られる。即ち、赤色ＬＥＤ５、緑色ＬＥＤ６及び青色ＬＥＤ７は、白色ＬＥＤ８からの光の一部を遮るように配置される。図１２に示すように、照明器具１は、第２ケース１５の開口を塞ぐ第２カバー１７を更に備えても良い。
【００４２】
図１３は、この発明の実施の形態１における照明装置の他の例を示す図である。図１３は、照明装置を分解した斜視図を示す。図１３は、埋め込み設置型の照明装置を示す。図１４は、図１３に示すＥ方向から照明器具１を見た図である。図１３及び図１４に示す照明装置は、照明器具１、制御ユニット２及び取付具１８を備える。図１３は、第１制御部２ａ及び第２制御部２ｂがそれぞれユニット化された例を示す。また、図１３は、照明器具１が部屋の天井１９に取り付けられる例を示す。照明器具１は、取付具１８によって天井１９に固定される。
【００４３】
図１３及び図１４に示す例では、照明器具１は、赤色ＬＥＤ５、緑色ＬＥＤ６、青色ＬＥＤ７及び白色ＬＥＤ８に加え、第１基板１２（図示せず）、第２基板１３（図示せず）、第１ケース１４及び第２ケース１５を備える。照明器具１は、カバー１６及び第２カバー１７を備えても良い。図１３及び図１４に示す例は、第２ケース１５が第１ケース１４の外側に配置される点で図１１及び図１２に示す例と相違する。図１３及び図１４に示す例でも、第２ケース１５は第１ケース１４に設けられる。しかし、白色ＬＥＤ８からの光は、第２ケース１５によって遮られない。
【００４４】
本実施の形態では、赤色ＬＥＤ５、緑色ＬＥＤ６及び青色ＬＥＤ７が照明用及び可視光通信用として利用される例について説明した。赤色ＬＥＤ５、緑色ＬＥＤ６及び青色ＬＥＤ７は、可視光通信専用として用いられても良い。また、可能な配置であれば、赤色ＬＥＤ５、緑色ＬＥＤ６及び青色ＬＥＤ７を１つのパッケージで構成しても良い。本実施の形態では、照明器具１がＬＥＤを備える例について説明した。照明器具１は、ＬＥＤ以外の発光素子を備えても良い。例えば、照明器具１は、有機ＥＬ等の発光素子を備えても良い。
【００４５】
実施の形態２．
本実施の形態では、案内表示板型の照明装置について説明する。図１５は、この発明の実施の形態２における照明装置の例を示す図である。図１６は、図１５のＦ−Ｆ断面を示す図である。本実施の形態における照明装置は、例えば照明器具１及び制御ユニット２（図１５及び図１６において図示せず）を備える。制御ユニット２は、第１制御部２ａ及び第２制御部２ｂを備える。
【００４６】
照明器具１は、赤色ＬＥＤ５、緑色ＬＥＤ６、青色ＬＥＤ７及び白色ＬＥＤ８を備える。第１制御部２ａは、赤色ＬＥＤ５、緑色ＬＥＤ６及び青色ＬＥＤ７を制御する。例えば、第１制御部２ａは、赤色ＬＥＤ５から放射される赤色光、緑色ＬＥＤ６から放射される緑色光及び青色ＬＥＤ７から放射される青色光の強弱を変化させることにより、照明器具１から特定の情報を送信させる。また、第２制御部２ｂは、白色ＬＥＤ８を制御する。第２制御部２ｂは、白色ＬＥＤ８から放射される白色光を調節する。白色ＬＥＤ８は照明用であり、可視光通信用としては用いられない。
【００４７】
照明器具１は、基板９、ケース１０及びカバー１１を更に備える。赤色ＬＥＤ５、緑色ＬＥＤ６、青色ＬＥＤ７及び白色ＬＥＤ８は、例えば１つの基板９に設けられる。また、赤色ＬＥＤ５、緑色ＬＥＤ６、青色ＬＥＤ７、白色ＬＥＤ８及び基板９は、ケース１０に支持される。ケース１０は、赤色ＬＥＤ５、緑色ＬＥＤ６、青色ＬＥＤ７、白色ＬＥＤ８及び基板９の周囲を囲むように配置される。
【００４８】
カバー１１は、例えばケース１０に設けられる。カバー１１は、ケース１０の開口を塞ぐように配置される。カバー１１の表面に、例えば案内のための文字及び図柄等が付される。また、カバー１１は、赤色ＬＥＤ５、緑色ＬＥＤ６、青色ＬＥＤ７及び白色ＬＥＤ８に対向するように配置される。赤色ＬＥＤ５から放射された赤色光は、カバー１１を透過する。同様に、緑色ＬＥＤ６から放射された緑色光は、カバー１１を透過する。青色ＬＥＤ７から放射された青色光は、カバー１１を透過する。白色ＬＥＤ８から放射された白色光は、カバー１１を透過する。
【００４９】
本実施の形態に示す例であれば、案内表示板型の照明装置に、光を利用した通信機能を備えさせることができる。本照明装置においても、通信用の光の放射束は、全体の光の放射束の５％〜１０％であることが望ましい。
【００５０】
また、照明器具１に備えられるＬＥＤは、規則正しく配置されることが望ましい。図１５は、３個の赤色ＬＥＤ５、３個の緑色ＬＥＤ６、３個の青色ＬＥＤ７及び２４個の白色ＬＥＤ８が規則正しく配置された例を示す。図１５に示す例では、白色ＬＥＤ８が縦６列及び横４列に規則正しく配置される。赤色ＬＥＤ５は、白色ＬＥＤ８の左から２列目と３列目の間に縦一列に配置される。同様に、緑色ＬＥＤ６は、白色ＬＥＤ８の左から３列目と４列目の間に縦一列に配置される。青色ＬＥＤ７は、白色ＬＥＤ８の左から４列目と５列目の間に縦一列に配置される。
【００５１】
図１７及び図１８は、この発明の実施の形態２における照明装置の他の例を示す図である。図１７は、赤色ＬＥＤ５、緑色ＬＥＤ６及び青色ＬＥＤ７を中央に寄せて配置した例を示す。図１７に示す例では、隣接する４つの白色ＬＥＤ８を頂点とする四角形の中に、１つの赤色ＬＥＤ５、１つの緑色ＬＥＤ６及び１つの青色ＬＥＤ７が配置される。図１７に示す例では、赤色ＬＥＤ５から放射された赤色光、緑色ＬＥＤ６から放射された緑色光及び青色ＬＥＤ７から放射された青色光が混ざり合って白色の光になる。このため、ＲＧＢ光が白色ＬＥＤ８から放射される光と違和感なく混ざり合う。赤色ＬＥＤ５、緑色ＬＥＤ６及び青色ＬＥＤ７を、図１８に示すように１つのパッケージで構成しても良い。
【００５２】
本実施の形態に示す例でも、赤色ＬＥＤ５、緑色ＬＥＤ６及び青色ＬＥＤ７は、最も外側に配置されないことが望ましい。図１５に示す例では、白色ＬＥＤ８が最も外側に配置される。白色ＬＥＤ８を最も外側に配置することにより、赤色ＬＥＤ５からの赤色光、緑色ＬＥＤ６からの緑色光及び青色ＬＥＤ７からの青色光を白色ＬＥＤ８からの白色光に埋もれさせ、目立たなくさせることができる。
【００５３】
図１９は、この発明の実施の形態２における照明装置の他の例を示す図である。図２０は、照明装置の断面を示す図である。図１９及び図２０に示す例は、ＬＥＤの配置が図１５から図１８に示す例と相違する。また、図１９及び図２０に示す例は、照明器具１が反射部材２０を更に備える点で図１５から図１８に示す例と相違する。
【００５４】
照明器具１は、赤色ＬＥＤ５、緑色ＬＥＤ６、青色ＬＥＤ７及び白色ＬＥＤ８を備える。赤色ＬＥＤ５、緑色ＬＥＤ６、青色ＬＥＤ７及び白色ＬＥＤ８は、例えば細長い１つの基板９に設けられる。図１９及び図２０は、１個の赤色ＬＥＤ５、１個の緑色ＬＥＤ６、１個の青色ＬＥＤ７及び６個の白色ＬＥＤ８が一列に配置された例を示す。一列に配置された上記ＬＥＤのうち、白色ＬＥＤ８が両端に配置される。これにより、赤色ＬＥＤ５からの赤色光、緑色ＬＥＤ６からの緑色光及び青色ＬＥＤ７からの青色光を白色ＬＥＤ８からの白色光に埋もれさせ、目立たなくさせることができる。なお、赤色ＬＥＤ５、緑色ＬＥＤ６及び青色ＬＥＤ７が連続するようにＬＥＤを一列に配置しても良い。また、図１７に示すように、赤色ＬＥＤ５、緑色ＬＥＤ６及び青色ＬＥＤ７が互いに隣接するようにＬＥＤを配置しても良い。図１８に示すように、赤色ＬＥＤ５、緑色ＬＥＤ６及び青色ＬＥＤ７を１つのパッケージで構成しても良い。
【００５５】
反射部材２０は、ケース１０に支持される。反射部材２０は、赤色ＬＥＤ５、緑色ＬＥＤ６、青色ＬＥＤ７及び白色ＬＥＤ８に斜めに対向するように配置される。また、反射部材２０は、カバー１１に斜めに対向するように配置される。赤色ＬＥＤ５から放射された赤色光は、反射部材２０に当たり、反射部材２０で反射する。反射部材２０で反射した赤色ＬＥＤ５からの赤色光は、カバー１１を透過する。同様に、緑色ＬＥＤ６から放射された緑色光は、反射部材２０に当たり、反射部材２０で反射する。反射部材２０で反射した緑色ＬＥＤ６からの緑色光は、カバー１１を透過する。青色ＬＥＤ７から放射された青色光は、反射部材２０に当たり、反射部材２０で反射する。反射部材２０で反射した青色ＬＥＤ７からの青色光は、カバー１１を透過する。白色ＬＥＤ８から放射された白色光は、反射部材２０に当たり、反射部材２０で反射する。反射部材２０で反射した白色ＬＥＤ８からの白色光は、カバー１１を透過する。
【００５６】
図１９及び図２０に示す例であっても、案内表示板型の照明装置に、光を利用した通信機能を備えさせることができる。本照明装置においても、通信用の光の放射束は、全体の光の放射束の５％〜１０％であることが望ましい。
【００５７】
本実施の形態では、赤色ＬＥＤ５、緑色ＬＥＤ６及び青色ＬＥＤ７が照明用及び可視光通信用として利用される例について説明した。赤色ＬＥＤ５、緑色ＬＥＤ６及び青色ＬＥＤ７は、可視光通信専用として用いられても良い。また、本実施の形態では、照明器具１がＬＥＤを備える例について説明した。照明器具１は、ＬＥＤ以外の発光素子を備えても良い。例えば、照明器具１は、有機ＥＬ等の発光素子を備えても良い。
【００５８】
本実施の形態で開示しない照明装置の特徴については、実施の形態１で開示した何れかの特徴と同じである。
【００５９】
制御ユニット２は、ハードウェア資源として、例えばプロセッサとメモリとを含む処理回路を備える。制御ユニット２は、メモリに記憶されたプログラムをプロセッサによって実行することにより、第１制御部２ａ及び第２制御部２ｂの各機能を実現する。制御ユニット２が有する各機能の一部又は全部をハードウェアによって実現しても良い。
【符号の説明】
【００６０】
１  照明器具、  ２  制御ユニット、  ２ａ  第１制御部、  ２ｂ  第２制御部、  ３  鞄、  ４  携帯端末、  ５  赤色ＬＥＤ、  ６  緑色ＬＥＤ、  ７  青色ＬＥＤ、  ８  白色ＬＥＤ、  ９  基板、  １０  ケース、  １１  カバー、  １２  第１基板、  １３  第２基板、  １４  第１ケース、  １５  第２ケース、  １６  カバー、  １７  第２カバー、  １８  取付具、  １９  天井、  ２０  反射部材、  ２１  レンズ
【図１】
0006696227.tif 000004
【図２】
0006696227.tif 000005
【図３】
0006696227.tif 000006
【図４】
0006696227.tif 000007
【図５】
0006696227.tif 000008
【図６】
0006696227.tif 000009
【図７】
0006696227.tif 000010
【図８】
0006696227.tif 000011
【図９】
0006696227.tif 000012
【図１０】
0006696227.tif 000013
【図１１】
0006696227.tif 000014
【図１２】
0006696227.tif 000015
【図１３】
0006696227.tif 000016
【図１４】
0006696227.tif 000017
【図１５】
0006696227.tif 000018
【図１６】
0006696227.tif 000019
【図１７】
0006696227.tif 000020
【図１８】
0006696227.tif 000021
【図１９】
0006696227.tif 000022
【図２０】
0006696227.tif 000023